(57)【要約】【課題】ガイド機構に対する異物やミスト類の付着を低減させ、メンテナンス性とキャリッジの走査性に優れた液体吐出装置を提供すること。【解決手段】本発明の液体吐出装置１は、液体を吐出するヘッド３を搭載して走査方向となる基準方向Ｘに沿って往復移動するキャリッジ５と、キャリッジ５の往復移動を案内するガイド機構１０と、キャリッジ５とガイド機構１０とを支持する支持フレーム１１と、を備え、ガイド機構１０は、基準方向Ｘに沿って延びるガイド部材７と、このガイド部材７に間隔を空けて取り付けられる第１スライドブロック３３Ａと第２スライドブロック３３Ｂとを備え、キャリッジ５には、前記第１スライドブロック３３Ａと第２スライドブロック３３Ｂとの間に位置するガイド部材７の少なくとも一部の範囲を覆うカバー部４１とが設けられている。【選択図】図２
2017087426.tif 000002
【特許請求の範囲】
【請求項１】
液体を吐出するヘッドを搭載して走査方向となる基準方向に沿って往復移動するキャリッジと、
前記キャリッジの往復移動を案内するガイド機構と、
前記キャリッジと前記ガイド機構とを支持する支持フレームと、を備え、
前記ガイド機構は、基準方向に沿って延びるガイド部材と、該ガイド部材に取り付けられて往復移動方向に摺動する第１スライドブロックと、該第１スライドブロックに対して基準方向に間隔を空けて当該ガイド部材に取り付けられて往復移動方向に摺動する第２スライドブロックと、を備え、
前記キャリッジは、前記第１スライドブロックと第２スライドブロックとの間に位置する前記ガイド部材の少なくとも一部の範囲を覆うカバー部を備えている、ことを特徴とする液体吐出装置。
【請求項２】
請求項１に記載の液体吐出装置において、
前記ガイド機構はリニアガイドであり、
前記ガイド部材は、前記支持フレームのガイド取付け面に取り付けられるガイドレールであり、
前記ガイド取付け面は、基準方向に沿って平面が形成された平面部によって構成されている、ことを特徴とする液体吐出装置。
【請求項３】
カバー部は下側カバー部を備えている
請求項１又は２に記載の液体吐出装置において、
前記ヘッドと対向する位置に、液体を吐出する媒体を支持する媒体支持部を備え、
前記カバー部は、前記第１スライドブロックと第２スライドブロックとの間に位置する前記ガイド部材における前記媒体支持部と対向する側を覆う下側カバー部を備えている、ことを特徴とする液体吐出装置。
【請求項４】
請求項１から３のいずれか一項に記載の液体吐出装置において、
前記ヘッドと対向する位置に、液体を吐出する媒体を支持する媒体支持部を備え、
前記カバー部は、前記第１スライドブロックと第２スライドブロックとの間に位置する前記ガイド部材における前記媒体支持部と反対側を覆う上側カバー部を備えている、ことを特徴とする液体吐出装置。
【請求項５】
請求項１から４のいずれか一項に記載の液体吐出装置において、
前記第１スライドブロックには、前記ガイド部材と第１スライドブロックとの摺動部の隙間に対して第１のシール部材が設けられ、
前記第２スライドブロックには、前記ガイド部材と第２スライドブロックとの摺動部の隙間に対して第２のシール部材が設けられている、ことを特徴とする液体吐出装置。
【請求項６】
請求項５に記載の液体吐出装置において、
前記カバー部は、前記第１スライドブロックと第２スライドブロックとの間に位置するガイド部材の全範囲を覆う、ことを特徴とする液体吐出装置。
【請求項７】
請求項１から６のいずれか一項に記載の液体吐出装置において、
前記支持フレームには、前記カバー部の自由端と対向する位置にカバー機能を有する部材が設けられていることを特徴とする液体吐出装置。
【請求項８】
請求項１から７のいずれか一項に記載の液体吐出装置において、
前記カバー部の自由端の少なくとも一部に端部シール部材が設けられていることを特徴とする液体吐出装置。
【請求項９】
請求項１から８のいずれか一項に記載の液体吐出装置において、
前記第１スライドブロックと第２スライドブロックの間の前記カバー部で囲われた領域に空気が流入する流入口が設けられ、前記流入口に空気中の異物を除くフィルターが設けられている、ことを特徴とする液体吐出装置。
【請求項１０】
作業ヘッドを搭載して走査方向となる基準方向に沿って往復移動するキャリッジと、
前記キャリッジの往復移動を案内するガイド機構と、
前記キャリッジと前記ガイド機構とを支持する支持フレームと、を備え、
前記ガイド機構は、基準方向に沿って延びるガイド部材と、該ガイド部材に取り付けられて往復移動方向に摺動する第１スライドブロックと、該第１スライドブロックに対して基準方向に間隔を空けて当該ガイド部材に取り付けられて往復移動方向に摺動する第２スライドブロックと、を備え、
前記キャリッジには、第１スライドブロックと第２スライドブロックとの間に位置する前記ガイド部材の少なくとも一部の範囲を覆うカバー部を備えている、ことを特徴とする往復移動装置。
【発明の詳細な説明】
【技術分野】
【０００１】
本発明は、液体を吐出するヘッドを搭載して走査方向となる基準方向に沿って往復移動するキャリッジと、該キャリッジの往復移動を案内するガイド機構と、前記キャリッジとガイド機構を支持する支持フレームとを備えるインクジェット記録装置等の液体吐出装置及び前記キャリッジとガイド機構と支持フレームとを備える往復移動装置に関する。
【背景技術】
【０００２】
液体吐出装置のキャリッジは、通常、移動方向である走査方向に架け渡されたキャリッジガイド軸に複数の軸受け部を介して往復移動可能に取り付けられている。複数の各軸受け部は互いに離間配置されている。キャリッジが大型化すると複数の隣り合う軸受け部間の間隔は大きくなる、或いは個数が増えることとなる。
【先行技術文献】
【特許文献】
【０００３】
【特許文献１】特開２００７−２７６２８９号公報
【発明の概要】
【発明が解決しようとする課題】
【０００４】
従来の液体吐出装置では、複数の軸受け部の間の領域に対するダストやミスト類等の進入の問題については考慮されていない。そのため、前記キャリッジガイド軸の前記複数の軸受け部の間の領域に対応する部分にミスト等が進入して付着することによってキャリッジの円滑な往復移動動作が妨げられる虞があった。
【０００５】
本発明の目的は、ヘッドを搭載しているキャリッジを互いに離間して位置する２個以上のスライドブロック部を介してガイド部材に往復移動可能に取り付ける構造の液体吐出装置において、前記ガイド部材の隣り合うスライドブロック間の領域に対応する部分に、ゴミ、塵等の異物やミスト類が進入して付着することを低減することにある。
【課題を解決するための手段】
【０００６】
上記課題を解決するために、本発明に係る第１の態様の液体吐出装置は、液体を吐出するヘッドを搭載して走査方向となる基準方向に沿って往復移動するキャリッジと、前記キャリッジの往復移動を案内するガイド機構と、前記キャリッジと前記ガイド機構とを支持する支持フレームとを備え、前記ガイド機構は、基準方向に沿って延びるガイド部材と、該ガイド部材に取り付けられて往復移動方向に摺動する第１スライドブロックと、該第１スライドブロックに対して基準方向に間隔を空けて当該ガイド部材に取り付けられて往復移動方向に摺動する第２スライドブロックとを備え、前記キャリッジは、前記第１スライドブロックと第２スライドブロックとの間に位置する前記ガイド部材の少なくとも一部の範囲を覆うカバー部を備えていることを特徴とする。
【０００７】
本態様によれば、液体吐出装置において、第１スライドブロックと第２スライドブロックとの間の領域に対応する部分に異物やミスト類が進入する虞を低減することができる。
【０００８】
本発明に係る第２の態様の液体吐出装置は、第１の態様において、前記ガイド機構はリニアガイドであり、前記ガイド部材は、前記支持フレームのガイド取付け面に取り付けられるガイドレールであり、前記ガイド取付け面は、基準方向に沿って平面が形成された平面部によって構成されていることを特徴とする。
【０００９】
本態様によれば、ガイド機構はリニアガイドであるので、大型で重量の重いキャリッジにも対応し得る剛性の高いガイド機構を構成することができる。また、ガイド取付け面を基準方向に沿って平面が形成された平面部によって構成したので、ガイドレール（ガイド部材）と支持フレームとの間に隙間ができない分、外部からの異物やミスト類の進入を抑制することができる。
【００１０】
本発明に係る第３の態様の液体吐出装置は、第１又は第２の態様において、前記ヘッドと対向する位置に、液体を吐出する媒体を支持する媒体支持部を備え、前記カバー部は、前記第１スライドブロックと第２スライドブロックとの間に位置する前記ガイド部材における前記媒体支持部と対向する側を覆う下側カバー部を備えていることを特徴とする。
【００１１】
本態様によれば、ヘッドから媒体に向けて吐出された液体成分の一部がミスト化して、媒体支持部側から上昇してスライドブロック間の領域に対応する部分に進入することを効果的に抑制することができる。
【００１２】
本発明に係る第４の態様の液体吐出装置は、第１の態様から第３の態様のいずれか一つの態様において、前記ヘッドと対向する位置に、液体を吐出する媒体を支持する媒体支持部を備え、前記カバー部は、前記第１スライドブロックと第２スライドブロックとの間に位置する前記ガイド部材における前記媒体支持部と反対側を覆う上側カバー部を備えていることを特徴とする。
【００１３】
本態様によれば、媒体支持部と反対側の上方から下方に位置するガイド部材に向けて降下してくる異物やミスト類の各スライドブロック間の領域に対応する部分への進入を効果的に抑制することができる。
【００１４】
本発明に係る第５の態様の液体吐出装置は、第１の態様から第４の態様のいずれか一つの態様において、前記第１スライドブロックには、前記ガイド部材と第１スライドブロックとの摺動部の隙間に対して第１のシール部材が設けられ、前記第２スライドブロックには、前記ガイド部材と第２スライドブロックとの摺動部の隙間に対して第２のシール部材が設けられていることを特徴とする。
【００１５】
本態様によれば、第１スライドブロックの外方と、第２スライドブロックの外方から、第１スライドブロックとガイド部材との摺動部の隙間、第２スライドブロックとガイド部材との摺動部の隙間に異物やミスト類が進入することを抑制することができる。
【００１６】
本発明に係る第６の態様の液体吐出装置は、第５の態様において、前記カバー部は、前記第１スライドブロックと第２スライドブロックとの間に位置するガイド部材の全範囲を覆うように設けられていることを特徴とする。
【００１７】
本態様によれば、前記第５の態様の作用に加えて第１スライドブロックと第２スライドブロックとの間の領域に対応する部分に進入しようとする異物やミスト類をカバー部材によって遮断して、その進入を抑制することができる。
【００１８】
本発明に係る第７の態様の液体吐出装置は、第１の態様から第６の態様のいずれか一つの態様において、前記支持フレームには、前記カバー部の自由端と対向する位置にカバー機能を有する部材が設けられていることを特徴とする。
【００１９】
本態様によれば、支持フレームには、前記カバー部の自由端と対向する位置にカバー機能を有する部材が設けられている。該カバー機能を有する部材は、支持フレームの対応する部分を突出させて突出部として形成する、或いは支持フレームに別部材としてカバー機能を有する部材を取り付ける構造であってもよい。これにより、第１スライドブロックと第２スライドブロックとの間の領域に対応する部分に進入しようとする異物やミスト類を一層効果的に遮断して、その進入を抑制することができる。
【００２０】
本発明に係る第８の態様の液体吐出装置は、第１の態様から第７の態様のいずれか一つの態様において、前記カバー部の自由端の少なくとも一部に端部シール部材が設けられていることを特徴とする。
【００２１】
本態様によれば、カバー部の自由端の先端部分の隙間を当該端部シール材によって塞ぐことができるので、第１スライドブロックと第２スライドブロックとの間の領域に対応する部分に進入しようとする異物やミスト類を一層効果的に遮断して、その進入を抑制することができる。
【００２２】
本発明に係る第９の態様の液体吐出装置は、第１の態様から第８の態様のいずれか一つの態様において、前記第１スライドブロックと第２スライドブロックの間の前記カバー部で囲われた領域に空気が流入する流入口が設けられ、前記流入口に空気中の異物を除くフィルターが設けられていることを特徴とする。
【００２３】
本態様によれば、キャリッジ走行時の風圧をフィルターの進行方向側の端面で受けて、第１スライドブロックと第２スライドブロックとの間の内方空間に空気が流入して該内方空間内の気圧を高めるため、該内方空間への異物やミスト類の進入が抑制される。また、流入口から進入する異物やミスト類は、フィルターによって捕捉されるため、第１スライドブロックと第２スライドブロックとの間の内方空間への異物やミスト類の進入は、効果的に抑制される。  
更に、上記フィルターをカバー部材と第１スライドブロックとの間と、カバー部材と第２スライドブロックとの間の二ヶ所に設けることで、キャリッジが往路方向に走行する場合と復路方向に走行する場合の両方で上記作用が得られる。
【００２４】
本発明に係る第１０の態様の往復移動装置は、前記キャリッジの往復移動を案内するガイド機構と、前記キャリッジと前記ガイド機構とを支持する支持フレームとを備え、前記ガイド機構は、基準方向に沿って延びるガイド部材と、該ガイド部材に取り付けられて往復移動方向に摺動する第１スライドブロックと、該第１スライドブロックに対して基準方向に間隔を空けて当該ガイド部材に取り付けられて往復移動方向に摺動する第２スライドブロックとを備え、前記キャリッジには、第１スライドブロックと第２スライドブロックとの間に位置する前記ガイド部材の少なくとも一部の範囲を覆うカバー部を備えていることを特徴とする。
【００２５】
本態様によれば、第１の態様と同時に、往復移動装置において、第１スライドブロックと第２スライドブロックとの間に対応する部分への異物やミスト類の進入をカバー部材を設けることで少なくすることができる。従って、異物やミスト類が付着し易い作業環境で使用されている工作機械、産業機械設備、産業用ロボット、プリンター、複写機、印刷機等における往復移動部において、本態様の往復移動装置を適用すれば作業効率の一層の向上と円滑な作業の遂行とが図れるようになる。
【図面の簡単な説明】
【００２６】
【図１】本発明の実施形態１に係る液体吐出装置の概要を表す平面図
【図２】本発明の実施形態１に係る液体吐出装置の要部を表す一部断面の正面図。
【図３】本発明の実施形態１に係る液体吐出装置の要部を表す一部断面の側面図。
【図４】本発明の実施形態１に係る液体吐出装置の要部を拡大して示す側断面図。
【図５】本発明の実施形態２に係る液体吐出装置の要部を表す平面図。
【図６】本発明の実施形態３に係る液体吐出装置の要部を拡大して表す側断面図。
【図７】本発明の実施形態４に係る液体吐出装置の要部を表す背面図。
【図８】本発明の実施形態５に係る往復移動装置の要部を表す背面図。
【発明を実施するための形態】
【００２７】
以下に、本発明の実施形態に係る液体吐出装置及び往復移動装置について、添付図面を参照して詳細に説明する。  
尚、以下の説明では、最初に実施形態１に係る液体吐出装置を例にとって、本発明の液体吐出装置の概略構成について説明する。次に、該実施形態１に係る液体吐出装置の本発明の特徴的構成となる要部の具体的構成について説明する。  
続いて、前記実施形態１と一部の構成を異ならせた実施形態２から実施形態４に係る各液体吐出装置の構成を前記実施形態１との差異を中心に具体的に説明する。その後、本発明の実施形態５に係る往復移動装置の構成について説明する。そして、最後に部分的構成を異ならせた本発明の液体吐出装置及び往復移動装置の他の構成について言及する。
【００２８】
◆◆◆実施形態１（図１〜図４参照）◆◆◆
（１）液体吐出装置の概略構成（図１〜図３参照）
図１に表したように、本実施形態に係る液体吐出装置１Ａは、媒体ＭとしてトレイＴ上にセットされたＴシャツ等の布帛を対象とした大型のシリアル型のインクジェット捺染装置である。そして、この液体吐出装置１Ａは、液体を吐出するヘッド３を搭載して走査方向となる基準方向Ｘに沿って往復移動するキャリッジ５と、該キャリッジ５の往復移動を案内するガイド機構１０と、キャリッジ５とガイド機構１０とを支持する支持フレーム１１とを備えている。
【００２９】
また、キャリッジ５とガイド機構１０と支持フレーム１１は、図１中、仮想線で表すハウジング２内に収容されている。該ハウジング２内には、キャリッジ５を往復駆動する駆動手段であるキャリッジモーター４と、該キャリッジモーター４の出力軸の回転を受けて駆動され、駆動プーリー２１と従動プーリー２３間に巻回されている、無端帯状の部材の一例として歯付きベルトによって構成される走行ベルト２５と、が設けられている。  
また、走行ベルト２５の一部にはキャリッジ５のメインキャリッジ５Ａと連結するためのベルトホルダー２７が設けられており、該ベルトホルダー２７を介して走行ベルト２５の基準方向Ｘに沿った走行動作がメインキャリッジ５Ａに伝えられる。更に、ヘッド３が搭載されたサブキャリッジ５Ｂに伝達されて、これら二つのキャリッジ５Ａ、５Ｂは、媒体Ｍの記録に必要な所定の移動範囲を往復移動できるように構成されている。また、ヘッド３と対向する下面には、液体を吐出する媒体Ｍを下方から支持する媒体支持部１３となるトレイＴが設けられている。
【００３０】
尚、以下の説明では必要に応じて前記二つのキャリッジ５Ａ、５Ｂの基準方向Ｘに沿う移動範囲のうち、図１中、右端側をＨｏｍｅ側、図１中、左端側をＦｕｌｌ側と定義し説明する。また、図１中、中央下部の双方向を指し示す矢印は媒体Ｍをハウジング２内の記録実行領域２９に導き、記録実行後の媒体Ｍをハウジング２外に排出する媒体Ｍの搬送方向Ａを表している。  
ここで「布帛」とは、綿、麻、絹、又はこれらを混合したもの等を原糸とする布や織物等の繊維製品を意味し、例えば、ブラウス、ワイシャツ、作業着などの衣料品の材料として用いられるブロード、シーチング等の繊維製品が挙げられる。また、化学繊維のレーヨン、キュプラ、ポリノジック、アセテート、トリアセテート、プロミックス、ナイロン、ポリエステル、アクリル、ポリ塩化ビニル、ポリウレタンであってもよい。コート紙等の表面コーティングがなされたもの、裏面剥離フィルム、レーヨン、合成紙等も使用可能である。
【００３１】
また、本実施形態ではガイド機構は１０はリニアガイドで構成されている。即ち、ガイド部材７としてガイドレール３１が採用され、該ガイドレール３１はガイドレール３１に係合してガイドレール３１の長手方向に往復移動する第１スライドブロック３３Ａ及び第２スライドブロック３３Ｂとユニット化されたリニアガイド３５である。  
そして、上記二つのスライドブロック３３Ａ、３３Ｂを間隔を空けて基準方向Ｘの左右に配置してメインキャリッジ５Ａに取り付けることによって、これら二つのスライドブロック３３Ａ、３３Ｂは、メインキャリッジ５Ａ、サブキャリッジ５Ｂ、ヘッド３が一体になって基準方向Ｘに沿って往復移動できるように構成されている。
【００３２】
また、前記リニアガイド３５としては、機械要素部品として市販されている各種のリニアガイドが使用可能である。  
また、支持フレーム１１としては、キャリッジ５とガイド機構１０の支持部材として求められる剛性を備えた角パイプ状の部材が一例として適用でき、図１に表すようにハウジング２の内部において固定状態で取り付けられる剛性を有するサイドフレーム６によって、基準方向Ｘの両端部付近を含む、複数個所で支持されている。
【００３３】
（２）液体吐出装置の具体的構成（図２〜図４参照）
本実施形態に係る液体吐出装置１Ａは、二つのスライドブロック３３Ａ、３３Ｂを使用したリニアガイド３５の構成と、これら二つのスライドブロック３３Ａ、３３Ｂと、メインキャリッジ５Ａと、支持フレーム１１とによって区画された内方空間Ｓへの異物やミスト類の進入を抑制するようにした構造に特徴を有している。具体的には、ガイド機構１０は、基準方向Ｘに沿って延びるガイド部材７と、該ガイド部材７に取り付けられて往復移動方向となる基準方向Ｘに摺動する第１スライドブロック３３Ａと、該第１スライドブロック３３Ａに対して基準方向Ｘに間隔を空けてガイド部材７に取り付けられて基準方向Ｘに摺動する第２スライドブロック３３Ｂとを備えている。
【００３４】
また、メインキャリッジ５Ａの背面には、内方空間Ｓを挟んで離間配置される第１スライドブロック３３Ａと第２スライドブロック３３Ｂと、が取り付けられると共に、内方空間Ｓに位置するガイド部材７の少なくとも一部の範囲を覆うカバー部４１が設けられている。  
そして、本実施形態では内方空間Ｓに位置するガイド部材７の全範囲を覆うように配置されたカバー部材４１が設けられている。
【００３５】
また、本実施形態では、ガイド部材７として、支持フレーム１１に設けられるガイド取付け面９に取り付けられるガイドレール３１が採用されている。更に、ガイド取付け面９に取り付けられるガイドレール３１の被取付け面は、基準方向Ｘに沿って平面が形成された平面部４２によって構成されている。  
そして、前記第１スライドブロック３３Ａと第２スライドブロック３３Ｂをガイドレール３１に係合させることによってガイド機構１０であるリニアガイド３５が構成される。
【００３６】
また、本実施形態では、カバー部４１は、下側カバー部４３と上側カバー部４４の両方を備えることによって構成されており、これらのカバー部４３、４４は、メインキャリッジ５Ａの背面から後方に水平に突出する、基準方向Ｘに長い矩形平板状の部材により構成されている。  
このうち、下側カバー部４３は、第１スライドブロック３３Ａと第２スライドブロック３３Ｂの間の前記内方空間Ｓに位置するガイドレール３１における、媒体支持部１３と対向する下面側を覆う位置に設けられている。  
一方、上側カバー部４４は、前記内方空間Ｓに位置するガイドレール３１における、媒体支持部１３と反対側を覆う位置に設けられている。
【００３７】
因みに、このような位置に前記構成の下側カバー部４３と上側カバー部４４を設けることで、ヘッド３から媒体Ｍに向けて吐出された液体成分の一部がミスト化したものや、ゴミ、塵等の異物が上下から内方空間Ｓに入ってガイドレール３１に付着したり、ガイドレール３１と二つのスライドブロック３３Ａ、３３Ｂの間の隙間に進入してリニアガイド３５の円滑な走行動作を妨げるような事態が低減される。
【００３８】
また、支持フレーム１１は、図４に表すようにカバー部４１の奥部側の自由端４５と対向する位置に支持フレーム１１が位置するように、前述したガイドレール３１の被取付け面となる平面部４２よりもカバー部材４１側に突出する突出部４６、４７であるカバー機能を有する部材が設けられている。  
因みに、このような突出部４６、４７を設けることで、支持フレーム１１の背面側から支持フレーム１１とカバー部材４１との隙間を通って前記内方空間Ｓに進入する異物やミスト類の量を効果的に少なくすることができる。  
尚、カバー機能を有する部材としては突出部４６、４７に限定されず、支持フレーム１１に別部材としてカバー機能を有する部材を取り付ける構造であってもよい。
【００３９】
このようにして構成される本実施形態に係る液体吐出装置１Ａによれば、ヘッド３を搭載して走査方向となる基準方向Ｘに沿って往復移動するキャリッジ５と、該キャリッジ５の往復移動を案内するガイド機構１０と、前記キャリッジ５とガイド機構１０とを支持する支持フレーム１１と、を備える液体吐出装置１Ａにおいて、ガイド機構１０に対するゴミ、塵等の異物やミスト類の付着を低減し、ガイド機構１０の内方空間Ｓへの異物やミスト類の進入を効果的に抑制することが可能になる。  
これにより、キャリッジ５の円滑な往復移動動作を実現できる。
【００４０】
◆◆◆実施形態２（図５参照）◆◆◆
本実施形態に係る液体吐出装置１Ｂは、第１スライドブロック３３Ａと第２スライドブロック３３Ｂに第１のシール部材４９と第２のシール部材５０を更に設けた点が前述した実施形態１に係る液体吐出装置１Ａと相違しているだけで他の構成については実施形態１と同様の構成を有している。従って、ここでは前述した実施形態１と同様の構成については説明を省略し、本実施形態において新たに設けた二つのシール部材４９、５０の構成と作用を中心に説明する。
【００４１】
即ち、本実施形態では、第１スライドブロック３３Ａの外方端面に、ガイドレール３１と第１スライドブロック３３Ａとの摺動部の隙間Ｇ１を塞ぐ第１のシール部材４９が設けられており、第２スライドブロック３３Ｂの外方端面に、ガイドレール３１と第２スライドブロック３３Ｂとの摺動部の隙間Ｇ２を塞ぐ第２のシール部材５０が設けられている。  
これらのシール部材４９、５０としては、ゴムやスポンジ或いはフェルト等の材料が一例として使用でき、シール部材４９、５０の基端側をスライドブロック３３Ａ、３３Ｂに取り付け、シール部材４９、５０の先端側をガイドレール３１に向けて突出させてシール部材４９、５０の先端部をガイドレール３１の表面に密着状態で接触させた状態で一例として設けられている。
【００４２】
このようにして構成される本実施形態に係る液体吐出装置１Ｂによっても、前述した実施形態１に係る液体吐出装置１Ａと同様の作用、効果を発揮することができ、更に本実施形態にあっては、第１スライドブロック３３Ａの外方と第２スライドブロック３３Ｂの外方から、第１スライドブロック３３Ａとガイドレール３１との摺動部の隙間Ｇ１と第２スライドブロック３３Ｂとガイドレール３１との摺動部の隙間Ｇ２に進入したり、更にこれらの隙間Ｇ１，Ｇ２を通って第１スライドブロック３３Ａと第２スライドブロック３３Ｂとの間の内方空間Ｓに異物やミスト類が進入する事態を低減させることができる。
【００４３】
また、二つのスライドブロック３３Ａ、３３Ｂの外方端面のみにシール部材４９、５０を設け、二つのスライドブロック３３Ａ、３３Ｂの内方端面には、シール部材４９、５０は設けられていない。これにより、内方端面に設けるシール部材４９、５０の機能はカバー部４１によって行っているから、少ないシール部材４９、５０の数で内方空間Ｓ内への異物やミスト類の進入を抑制することができる。  
また、シール部材４９、５０の数を減らすことによってリニアガイド３５のメンテナンス作業が容易になってメンテナンス性が向上し、シール部材４９、５０からの負荷が小さくなるためキャリッジ５の走査性も向上する。
【００４４】
◆◆◆実施形態３（図６参照）◆◆◆
本実施形態に係る液体吐出装置１Ｃは、カバー部４１の自由端４５の端部に端部シール部材５１、５３を設けた点が前述した実施形態１に係る液体吐出装置１Ａと相違しているだけで、他の構成については実施形態１と同様の構成を有している。従って、ここでは前述した実施形態１と同様の構成については説明を省略し、該実施形態１と相違する端部シール部材５１、５３の構成と作用を中心に説明する。
【００４５】
即ち、本実施形態では、カバー部４１における自由端側の少なくとも一部の端部に端部シール部材５１、５３が設けられている。具体的には、下側カバー部４３の自由端側の端部に、当該下側カバー部４３とほぼ同様の基準方向Ｘの長さを有し、支持フレーム１１との隙間Ｇ３を埋める幅寸法の平板状ないし角棒状の端部シール部材５１が設けられている。そして、該端部シール部材５１としては、前述した実施形態２で述べた二つのシール部材４９，５０と同様、ゴムやスポンジ或いはフェルト等の材料が一例として使用できる。  
また、上側カバー部４４の自由端側の端部にも、端部シール部材５１と同様の基準方向Ｘの長さを有し、支持フレーム１１との隙間Ｇ４を埋める幅寸法の端部シール部材５３が設けられており、該端部シール部材５３としても、前述した端部シール部材５１との同様の材料が一例として使用できる。
【００４６】
このようにして構成される本実施形態に係る液体吐出装置１Ｃによっても、前述した実施形態１に係る液体吐出装置１Ａと同様の作用、効果が発揮でき、更に本実施形態にあっては、カバー部４１と、該カバー部４１の自由端側の端面と対向する支持フレーム１１等の他の部材との間にできる隙間Ｇ３、Ｇ４から第１スライドブロック３３Ａと第２スライドブロック３３Ｂとの間の内方空間Ｓに異物やミスト類が進入する事態を抑制することが可能になる。
【００４７】
◆◆◆実施形態４（図７参照）◆◆◆
本実施形態に係る液体吐出装置１Ｄは、カバー部４１と二つのスライドブロック３３Ａ、３３Ｂとの間に流入口５５、５７とエアフィルター５９、６１を設けた点が前述した実施形態１に係る液体吐出装置１Ａと相違しているだけで、他の構成については実施形態１と同様の構成を有している。従って、ここでは前述した実施形態１と同様の構成については説明を省略し、該実施形態１と相違する流入口５５、５７とエアフィルター５９、６１の構成と作用を中心に説明する。
【００４８】
即ち、カバー部４１と第１スライドブロック３３Ａとの間と、カバー部４１と第２スライドブロック３３Ｂとの間には、外部の空気が流入して第１スライドブロック３３Ａと第２スライドブロック３３Ｂとの間の内方空間Ｓに空気を取り込む二つの流入口５５、５７が設けられており、該流入口５５、５７には、外部からの空気の流入は許容するが、外部からの異物やミスト類の進入は規制する二つのエアフィルター５９、６１がそれぞれ設けられている。  
具体的には、第１スライドブロック３３Ａと下側カバー部４３との間と、第１スライドブロック３３Ａと上側カバー部４４との間に隙間を設けてその隙間を流入口５５とし、この流入口５５を塞ぐようにエアフィルター５９を設置している。
【００４９】
また、第２スライドブロック３３Ｂと下側カバー部４３との間と、第２スライドブロック３３Ｂと上側カバー部４４との間に隙間を設けてその隙間を流入口５７とし、この流入口５７を塞ぐようにエアフィルター６１を設置している。  
そして、このようにして構成される本実施形態に係る液体吐出装置１Ｄによっても、前述した実施形態１に係る液体吐出装置１Ａと同様の作用、効果を発揮することができる。
【００５０】
また、本実施形態にあっては、図７中、矢印で示すキャリッジ走行時の風圧Ｆをエアフィルター５９、６１の進行方向側の端面で受けて、第１スライドブロック３３Ａと第２スライドブロック３３Ｂとの間の内方空間Ｓに送り込んで内方空間Ｓ内の気圧を高めることができる。これに伴って、前記内方空間Ｓ内への異物やミスト類の進入が抑制される。  
また、流入口５５、５７から進入する異物やミスト類は、エアフィルター５９、６１によって捕捉されるため、第１スライドブロック３３Ａと第２スライドブロック３３Ｂとの間の内方空間Ｓへの異物やミスト類の進入は、効果的に抑制される。
【００５１】
更に、上記エアフィルター５９、６１をカバー部４１と第１スライドブロック３３Ａとの間と、カバー部４１と第２スライドブロック３３Ｂとの間の二ヶ所に設けたから、キャリッジ５が往路方向に走行する場合と復路方向に走行する場合の両方で上記作用を奏することができる。  
また、支持フレーム１１とカバー部４１の自由端側の端面との間の隙間Ｇ３、Ｇ４からは、空気が外に排出される方向に流れるため、当該隙間Ｇ３、Ｇ４に外部から異物やミスト類が進入する虞れは極めて小さい。また、キャリッジ５の停止時には、ヘッド３から液体は基本的に吐出されないから、ミスト類の発生はなく、外部から進入するゴミ、塵等の異物を巻き上げてガイドレール３１等に付着することもない。
【００５２】
◆◆◆実施形態５（図８参照）◆◆◆
本実施形態に係る往復移動装置６５は、前述した実施形態１で述べた液体吐出装置１Ａの要部の構成を往復運動装置に適用した実施形態である。従って、前記実施形態１で述べた構成と同様の構成については、ここでは詳細な説明は省略し、本実施形態特有の構成を中心にして説明する。  
即ち、本発明の往復移動装置６５は、作業ヘッド６７を搭載して走査方向となる基準方向Ｘに沿って往復移動するキャリッジ５と、該キャリッジ５の往復移動を案内するガイド機構１０と、前記キャリッジ５とガイド機構１０を支持する図示しない支持フレームと、を備えることによって基本的に構成されている。
【００５３】
そして、前述した実施形態１に係る液体吐出装置１Ａと同様、ガイド機構１０は、基準方向Ｘに沿って延びるガイド部材７と、該ガイド部材７に取り付けられて往復移動方向に摺動する第１スライドブロック３３Ａと、該第１スライドブロック３３Ａに対して基準方向Ｘに間隔を空けて当該ガイド部材７に取り付けられて往復移動方向に摺動する第２スライドブロック３３Ｂと、を備えている。  
また、キャリッジ５には、第１スライドブロック３３Ａと、第２スライドブロック３３Ｂと、第１スライドブロック３３Ａと第２スライドブロック３３Ｂとの間の内方空間Ｓに位置する前記ガイド部材７の少なくとも一部の範囲を覆うカバー部４１が設けられている。
【００５４】
また、本実施形態では、作業ヘッド６７の一例としてワークＷを掴んで目的の場所に移送して離すチャック装置が搭載されており、ガイド機構１０として、案内機能と駆動機能を兼ね備えたボールネジ機構が一例として採用されている。  
これに伴い、ガイド部材７はネジ軸６９となり、二つのスライドブロック３３Ａ、３３Ｂは、それぞれ雌ネジブロック７０、７１となる。
【００５５】
そして、このように構成される往復移動装置６５は、図示しないキャリッジモーターから動力を受けてネジ軸６９を回転させて、その回転方向と回転量に対応した方向に所定ストローク、二つの雌ネジブロック７０、７１と、これらの雌ネジブロック７０、７１に一体に取り付けられているキャリッジ５と、前記作業ヘッド６７と、を同時に移動させる。
【００５６】
このようにして構成される本実施形態に係る往復移動装置６５によっても前述した実施形態１に係る液体吐出装置１Ａと同様、第１スライドブロック３３Ａと第２スライドブロック３３Ｂとの間の内方空間Ｓ内への異物やミスト類の進入をカバー部４１を設けることで少なくすることができる。  
これに伴い、異物やミスト類が付着し易い作業環境で使用されている工作機械、産業機械設備、産業用ロボット、プリンター、複写機、印刷機等における往復移動部に対して本態様の往復移動装置６５を適用すれば、作業効率の一層の向上と円滑な作業の遂行とが図られる。
【００５７】
［他の実施形態］
本発明に係る液体吐出装置１及び往復移動装置６５は、以上述べたような構成を有することを基本とするものであるが、本願発明の要旨を逸脱しない範囲内での部分的構成の変更や省略等を行うことも勿論可能である。
【００５８】
例えば、本発明の液体吐出装置１は、前述したような大型のインクジェット捺染装置に限らず、媒体Ｍとしてロール紙や単票紙を使用する大型、中型、小型のキャリッジ５を備えるインクジェットプリンター等にも適用することが可能である。  
また、液体吐出装置１に設けるガイド機構１０としては、実施形態１から実施形態４で採用したリニアガイド３５に限らず、キャリッジガイド軸と軸受とによって構成される従来の構成や実施形態５で採用したボールネジ機構等、種々のガイド機構１０が採用可能である。
【００５９】
同様に、往復移動装置６５に設けるガイド機構１０としては、実施形態５で述べたボールネジ機構に限らず、実施形態１から実施形態４で採用したリニアガイドやキャリッジガイド軸と軸受とによって構成される機構等、種々のガイド機構１０が採用可能である。  
この他、実施形態２で設けた二つのシール部材４９、５０と、実施形態３で設けた二つの端部シール部材５１、５３と、実施形態４で設けた二つの流入口５５、５７及び二つのエアフィルター５９、６１の一部または全部を実施形態１や実施形態５の構成に組み込んだ構成の液体吐出装置１や往復移動装置６５とすることも可能である。
【００６０】
更に、前記各実施形態で述べたスライドブロック３３は、必ずしも二つに限らず、三つ以上設けられていてもよい。従って、極めて大型のキャリッジ５を往復移動させるような場合には、基準方向Ｘの両端に配置される第１スライドブロック３３Ａと第２スライドブロック３３Ｂに加えて、その中間に一つまたは複数の他のスライドブロック３３を配置するようにすることも可能である。
【符号の説明】
【００６１】
１  液体吐出装置、２  ハウジング、３  ヘッド、４  キャリッジモーター、
５  キャリッジ、５Ａ  メインキャリッジ、５Ｂ  サブキャリッジ、６  サイドフレーム、
７  ガイド部材、８  制御部、  ９  ガイド取付け面、１０  ガイド機構、
１１  支持フレーム、１３  媒体支持部、２１  駆動プーリー、２３  従動プーリー、
２５  走行ベルト、２７  ベルトホルダー、２９  記録実行領域、３１  ガイドレール、
３３  スライドブロック、３３Ａ  第１スライドブロック、
３３Ｂ  第２スライドブロック、３５  リニアガイド、４１  カバー部材、
４２  平面部、４３  下側カバー部、４４  上側カバー部、４５  自由端、
４６  突出部、４７  突出部、４９  第１のシール部材、５０  第２のシール部材、
５１  端部シール部材、５３  端部シール部材、５５  流入口、５７  流入口、
５９  エアフィルター、６１  エアフィルター、６５  往復移動装置、
６７  作業ヘッド、６９  ネジ軸、７０  雌ネジブロック、７１  雌ネジブロック、
Ｍ  媒体、Ｔ  トレイ、Ｘ  基準方向、Ａ  搬送方向、Ｓ  内方空間、Ｇ１  隙間、
Ｇ２  隙間、Ｇ３  隙間、Ｇ４  隙間、Ｆ  風圧、Ｗ  ワーク
【図１】
2017087426.tif 000003
【図２】
2017087426.tif 000004
【図３】
2017087426.tif 000005
【図４】
2017087426.tif 000006
【図５】
2017087426.tif 000007
【図６】
2017087426.tif 000008
【図７】
2017087426.tif 000009
【図８】
2017087426.tif 000010